(57)【要約】【課題】表示に多様性を持たせることが可能なスイッチ装置を提供する。【解決手段】本体部１０と、回転軸ＣＬを中心に回転可能に本体部１０に収容される回転操作部５０と、を有するように構成されている。本体部１０は、収容された回転操作部５０に対向する本体部１０の側壁部１６又は底面部１７において、回転軸ＣＬの周囲に配置され、情報を表示する表示部（第１表示部１１、第２表示部１２）を有するように構成されている。回転操作部５０は、表示部（第１表示部１１）における表示の一部又は全部を反射して回転操作部５０の表示面５５に表示する反射面５１を回転軸ＣＬの周囲に有するようにスイッチ装置を構成する。【選択図】図２
2018067512.tif 000002
【特許請求の範囲】
【請求項１】
本体部と、
回転軸を中心に回転可能に前記本体部に収容される回転操作部と、
収容された前記回転操作部に対向する前記本体部の側壁部又は底面部において前記回転軸の周囲に配置され、情報を表示する表示部と、を有し、
前記回転操作部は、前記表示部における表示の一部又は全部を反射して前記回転操作部の表示面に表示する反射面を前記回転軸の周囲に有する、スイッチ装置。
【請求項２】
前記反射面は、前記回転軸を中心にする錐体で形成された傾斜面である、請求項１に記載のスイッチ装置。
【請求項３】
前記反射面は、前記傾斜面が前記回転軸の全周囲に亘って形成されている、請求項１又は２に記載のスイッチ装置。
【請求項４】
前記反射面は、前記傾斜面が前記回転軸の全周囲に亘って連続的に変化して形成されている、請求項３に記載のスイッチ装置。
【請求項５】
前記反射面は、前記傾斜面が前記回転軸の全周囲に亘って階段状に変化して形成されている、請求項３に記載のスイッチ装置。
【請求項６】
前記反射面は、その一部が前記表示部を前記表示面側へ反射する、請求項４又は５に記載のスイッチ装置。
【請求項７】
前記回転操作部は、前記表示面に、前記表示面上に形成されたノブ表示と、前記側壁部に形成された第１表示部又は前記底面部に形成された第２表示部とを重ねて表示する、請求項１から６のいずれか１項に記載のスイッチ装置。
【発明の詳細な説明】
【技術分野】
【０００１】
本発明は、スイッチ装置に関し、特に、表示機能を備えたスイッチ装置に関する。
【背景技術】
【０００２】
従来の技術として、スイッチノブの表面に照明表示のための照明マークを備えたスイッチ装置が知られている（例えば、特許文献１参照）。
【０００３】
このスイッチ装置は、押ボタン式スイッチと光源とが搭載された基板と、押ボタン式スイッチを操作するスイッチノブとを備え、スイッチノブの表示回転操作部を裏面から光源により照光する照光表示スイッチ装置において、スイッチノブは、透光性樹脂により表示回転操作部に埋め込み形成された照明マークと、照明マークを取り巻いて非透光性樹脂により形成された非表示意匠部と、表示回転操作部の中心部から垂下され先端がスイッチ部に連結されるロックアームと、表示回転操作部から垂下され先端面が光源の出射面近傍に配置される導光体と、導光体及びロックアームの基部と照明マークを連結する連結導光体とを備え、ロックアームと導光体と連結導光体が照明マークと一体に成形されて構成されている。このような構成により、導光体に照明光を入射させることにより、スイッチノブの表面の照明マークを照光表示することができるとされている。
【先行技術文献】
【特許文献】
【０００４】
【特許文献１】特開２０１３−２５４５９７号公報
【発明の概要】
【発明が解決しようとする課題】
【０００５】
特許文献１のスイッチ装置は、スイッチノブの内部に、ロックアームと導光体と連結導光体が照明マークと一体に成形されて内蔵されている。しかし、スイッチノブの表面の照光表示を一部のみ表示したり、複数の表示を重ねて表示したりすることができず、表示に多様性を持たせることが困難であるという問題があった。
【０００６】
従って、本発明の目的は、表示に多様性を持たせることが可能なスイッチ装置を提供することにある。
【課題を解決するための手段】
【０００７】
［１］上記目的を達成するため、本体部と、回転軸を中心に回転可能に前記本体部に収容される回転操作部と、収容された前記回転操作部に対向する前記本体部の側壁部又は底面部において前記回転軸の周囲に配置され、情報を表示する表示部と、を有し、前記回転操作部は、前記表示部における表示の一部又は全部を反射して前記回転操作部の表示面に表示する反射面を前記回転軸の周囲に有する、スイッチ装置を提供する。
【０００８】
［２］前記反射面は、前記回転軸を中心にする錐体で形成された傾斜面である、上記［１］に記載のスイッチ装置であってもよい。
【０００９】
［３］また、前記反射面は、前記傾斜面が前記回転軸の全周囲に亘って形成されている、上記［１］又は［２］に記載のスイッチ装置であってもよい。
【００１０】
［４］また、前記反射面は、前記傾斜面が前記回転軸の全周囲に亘って連続的に変化して形成されている、上記［３］に記載のスイッチ装置であってもよい。
【００１１】
［５］また、前記反射面は、前記傾斜面が前記回転軸の全周囲に亘って階段状に変化して形成されている、上記［３］に記載のスイッチ装置であってもよい。
【００１２】
［６］また、前記反射面は、その一部が前記表示部を前記表示面側へ反射する、上記［４］又は［５］に記載のスイッチ装置であってもよい。
【００１３】
［７］また、前記回転操作部は、前記表示面に、前記表示面上に形成されたノブ表示と、前記側壁部に形成された第１表示部又は前記底面部に形成された第２表示部とを重ねて表示する、上記［１］から［６］のいずれか１に記載のスイッチ装置であってもよい。
【発明の効果】
【００１４】
本発明によれば、表示に多様性を持たせることが可能なスイッチ装置を提供することができる。
【図面の簡単な説明】
【００１５】
【図１】図１は、本発明の実施の形態に係るスイッチ装置の外観斜視図である。
【図２】図２（ａ）は、図１の回転軸ＣＬを通る断面図で、反射面が傾斜面である場合の断面図であり、図２（ｂ）は、反射面が傾斜を有しない場合の断面図である。
【図３】図３は、導光部５３の内部での内面反射の状態を示す図である。
【図４】図４（ａ）は、第１の実施の形態であって、回転操作部を図１のＡ方向、すなわち、下（裏）から見た斜視図であり、図４（ｂ）は、回転操作部を図１のＢ方向、すなわち、上（表）から見た上平面図である。
【図５】図５（ａ）は、第２の実施の形態であって、回転操作部を図１のＡ方向、すなわち、下（裏）から見た斜視図であり、図５（ｂ）は、図５（ａ）のＣ−Ｃ断面であり、図５（ｃ）は、図５（ａ）のＤ−Ｄ断面を図５（ｃ）と同じ向きに示すＤ−Ｄ回転断面であり、図５（ｄ）は、回転操作部を図１のＢ方向、すなわち、上（表）から見た上平面図である。
【図６】図６（ａ）は、第３の実施の形態であって、回転操作部を図１のＡ方向、すなわち、下（裏）から見た斜視図であり、図６（ｂ）は、回転操作部を図１のＢ方向、すなわち、上（表）から見た上平面図である。
【図７】図７（ａ）は、第１表示部にマークを配置した一例であり、図７（ｂ）は、第２表示部にマークを配置した一例である。
【図８】図８は、表示面上に形成されたノブ表示と、第１表示部又は第２表示部が重ねて表示された一例を示す斜視図である。
【発明を実施するための形態】
【００１６】
（本発明の実施の形態）
図１に示すように、本発明の実施の形態に係るスイッチ装置１は、ノブ形状の回転操作部５０が本体部１０内に回転軸ＣＬを中心に回転可能に収容された回転スイッチである。図２（ａ）、（ｂ）に示すように、回転操作部５０は、本体部１０に対して回転操作が可能とされており、この回転操作に伴って、回転操作部５０の上面の表示面５５には種々の表示がなされるものである。
【００１７】
本発明の実施の形態に係るスイッチ装置１は、本体部１０と、回転軸ＣＬを中心に回転可能に本体部１０に収容される回転操作部５０と、を有するように構成されている。本体部１０は、収容された回転操作部５０に対向する本体部１０の側壁部１６又は底面部１７において、回転軸ＣＬの周囲に配置され、情報を表示する表示部（第１表示部１１、第２表示部１２）を有するように構成されている。回転操作部５０は、表示部（第１表示部１１）における表示の一部又は全部を反射して回転操作部５０の表示面５５に表示する反射面５１を回転軸ＣＬの周囲に有するように構成されている。
【００１８】
（第１表示部１１）
第１表示部１１は、回転操作部５０を回転可能に収容するための収容部１５の側壁部１６に設けられた表示部である。第１表示部１１は、例えば、所定の色、マーク、文字、図形等が表示されている。この表示は、側壁部１６の第１表示部１１の領域に、直接印刷等により表示されてもよい。また、シート等の部材に、所定の色、マーク、文字等が表示された状態で側壁部１６の第１表示部１１の領域に形成されていてもよい。
【００１９】
また、第１表示部１１は、例えば、ＬＥＤ等の光源、液晶表示板等を配置して表示する構成であってもよい。ＬＥＤ等の光源により、所定の色を表示し、また、液晶表示板により、所定のマーク、文字、図形等を表示する構成であってもよい。
【００２０】
（第２表示部１２）
第２表示部１２は、回転操作部５０を回転可能に収容するための収容部１５の底面部１７に設けられた表示部である。第２表示部１２は、例えば、所定の色、マーク、文字、図形等が表示されている。この表示は、底面部１７の第２表示部１２の領域に、直接印刷等により表示されてもよい。また、シート等の部材に、所定の色、マーク、文字等が表示された状態で底面部１７の第２表示部１２の領域に形成されていてもよい。
【００２１】
また、第２表示部１２は、例えば、ＬＥＤ等の光源、液晶表示板等を配置して表示する構成であってもよい。ＬＥＤ等の光源により、所定の色を表示し、また、液晶表示板により、所定のマーク、文字、図形等を表示する構成であってもよい。
【００２２】
（回転操作部５０）
回転操作部５０は、図１、図２（ａ）、（ｂ）に示すように、回転スイッチの回転操作部として機能するようにノブ形状として形成されている。回転操作部５０は、全体が光透過性を有する導光部５３で形成されている。導光部５３は、例えば、光透過部材の透明アクリル材が使用できる。
【００２３】
回転操作部５０は、図２（ａ）に示すように、導光部５３を空間部５４でくり抜いた形状とされている。
【００２４】
導光部５３において、図２（ａ）、（ｂ）に示すように、反射面５１が、第１表示部１１と第２表示部１２に対応して形成されている。
【００２５】
反射面５１は、図２（ａ）に示すように、側壁部１６すなわち第１表示部１１に対して傾斜面として形成されている。反射面５１は、回転軸ＣＬを中心にする錐体（円錐体）で形成された傾斜面である。反射面５１は、導光部５３の内部で第１表示部１１からの光を反射する。この反射は、導光部５３の内部での内面反射である。
【００２６】
図３は、導光部５３の内部での内面反射の状態を示す図である。反射点Ｐにおける法線Ｎに対して、第１表示部１１からの入射角をθ１、反射角をθ２とする。また、本実施の形態で導光部５３として使用する透明アクリル材の屈折率をｎ＝１．４９とする。この場合の全反射条件を満たす臨界角θｃは、臨界角θｃ＝Ａｒｃｓｉｎ（１／ｎ）で求められる。臨界角θｃは、約４２°となる。
【００２７】
図２（ａ）に示すように、反射面５１の入射角θ１が臨界角θｃ以上の傾斜面として形成されている場合は、第１表示部１１からの光は反射面５１で全反射されて表示面５５に表示される。第２表示部１２からの光は反射面５１を透過するが、表示面５５には主に第１表示部１１からの光が表示される。
【００２８】
一方、図２（ｂ）に示すように、反射面５１が水平の場合、すなわち、図３で示した入射角θ１が０（ゼロ）の場合、また、反射面５１が水平（入射角θ１が０（ゼロ））から臨界角θｃまでの範囲の傾斜面として形成されている場合は、第１表示部１１からの光は反射面５１で反射されずに透過し、第２表示部１２からの光が反射面５１を透過して表示面５５に表示される。
【００２９】
以上から、反射面５１の入射角θ１が臨界角θｃ以上の傾斜面として形成されている場合は、第１表示部１１の表示が反射面５１で反射されて表示され、表示面５５に第１表示部１１の表示が映し出される。一方、反射面５１が水平（入射角θ１が０（ゼロ））から臨界角θｃまでの範囲の傾斜面として形成されている場合は、表示面５５に第２表示部１２の表示が映し出される。
【００３０】
（第１の実施の形態）
第１の実施の形態は、図４（ａ）に示すように、回転操作部５０において、図２（ａ）で示したように、一定の反射面５１が回転軸ＣＬの全周囲に亘って形成されているものである。
【００３１】
したがって、反射面５１の入射角θ１が臨界角θｃ以上の傾斜面として形成されている場合は、第１表示部１１の表示が反射面５１で反射されて表示され、表示面５５に第１表示部１１の表示が映し出される。また、反射面５１が水平（入射角θ１が０（ゼロ））から臨界角θｃまでの範囲の傾斜面として形成されている場合は、表示面５５に第２表示部１２の表示が映し出される。
【００３２】
図４（ｂ）に示すように、表示面５５に映し出される第１表示部１１の表示または第２表示部１２の表示は、直接見る表示ではなく、反射面５１で内面反射した表示、あるいは、導光部５３を通して見る表示である。これにより、意匠性に優れた表示形態となり、また、スイッチ装置１の見栄えが向上する。
【００３３】
（第２の実施の形態）
第２の実施の形態は、図５（ａ）に示すように、回転操作部５０において、図２（ａ）で示した反射面５１が回転軸ＣＬの全周囲に亘って傾斜角（入射角θ１）が連続的に変化して形成されているものである。
【００３４】
図５（ｂ）、（ｃ）に示すように、反射面５１の傾斜角（入射角θ１）は、各断面において異なる値となっている。
【００３５】
図５（ａ）に示すように反射面５１が回転軸ＣＬの全周囲に亘って傾斜角（入射角θ１）が連続的に変化している状態において、傾斜角（入射角θ１）が臨界角θｃ以上の傾斜面となっている領域と、傾斜角（入射角θ１）が臨界角θｃ以下の傾斜面となっている領域とに、２つ、あるいは、２つ以上の領域に分けられる。
【００３６】
図５（ｄ）に示すように、傾斜角（入射角θ１）が臨界角θｃ以上の傾斜面となっている領域５５ａでは、表示面５５に第１表示部１１の表示が映し出され、傾斜角（入射角θ１）が臨界角θｃ以下の傾斜面となっている領域５５ｂでは、表示面５５に第２表示部１２の表示が映し出される。すなわち、回転操作部５０の反射面５１を変化させることにより、表示面５５に映し出される表示を第１表示部１１の表示と第２表示部１２の表示に切り替えることが可能である。また、この表示面５５に映し出される表示は、回転操作部５０の回転操作に伴って、回転移動する。
【００３７】
（第３の実施の形態）
第３の実施の形態は、図６（ａ）に示すように、回転操作部５０において、図２（ａ）で示した反射面５１が回転軸ＣＬの全周囲に亘って傾斜角（入射角θ１）が階段状に変化して形成されているものである。
【００３８】
図６（ａ）に示すように、反射面５１の傾斜角（入射角θ１）は、各階段において異なる値となっている。
【００３９】
図６（ａ）に示すように、反射面５１が回転軸ＣＬの全周囲に亘って傾斜角（入射角θ１）が階段状に変化している状態において、傾斜角（入射角θ１）が臨界角θｃ以上の傾斜面となっている領域と、傾斜角（入射角θ１）が臨界角θｃ以下の傾斜面となっている領域とに、２つ以上の領域に分けることができる。
【００４０】
図６（ｂ）に示すように、傾斜角（入射角θ１）が臨界角θｃ以上の傾斜面となっている領域５５ａでは、表示面５５に第１表示部１１の表示が映し出され、傾斜角（入射角θ１）が臨界角θｃ以下の傾斜面となっている領域５５ｂでは、表示面５５に第２表示部１２の表示が映し出される。すなわち、回転操作部５０の反射面５１を変化させることにより、表示面５５に映し出される表示を第１表示部１１の表示と第２表示部１２の表示に切り替えることが可能である。また、この表示面５５に映し出される表示は、回転操作部５０の回転操作に伴って、回転移動する。
【００４１】
図７（ａ）は、本体部１０の側壁部１６に形成される第１表示部１１を展開して示したマークの一例である。一方、図７（ｂ）は、本体部１０の底面部１７に形成される第２表示部１２を展開して示したマークの一例である。このマークは、車両のヒーコンに適用した場合の一例である。これらの表示は、第１の実施の形態から第３の実施の形態において、反射面５１の傾斜角の変化に応じて、反射面５１による反射あるいは透過の条件が変化する。これにより、表示面５５に映し出される表示を第１表示部１１の表示と第２表示部１２の表示に切り替えることが可能である。また、この表示面５５に映し出される表示は、回転操作部５０の回転操作に伴って、回転移動する。
【００４２】
さらに、図８に示すように、表示面５５上に形成されたノブ表示５７と、表示面５５上に映し出された第１表示部１１又は第２表示部１２を重ねて表示することも可能である。これにより、可動側である回転操作部５０の表示と非可動側である第１表示部１１の表示または第２表示部１２の表示とを重ねて表示することができ、新奇性を出しやすいという効果を有する。
【００４３】
（本発明の実施の形態の効果）
本実施の形態に係るスイッチ装置１は以下のような効果を有する。
（１）本発明の実施の形態に係るスイッチ装置１は、回転操作を支持する本体部１０と、回転軸ＣＬを中心に回転可能に本体部１０に収容される回転操作部５０と、を有し、本体部１０は、回転操作部５０を収容する本体部１０の側壁部１６又は底面部１７に、回転軸ＣＬの周囲に配置された表示部（第１表示部１１、第２表示部１２）を有し、回転操作部５０は、表示部（第１表示部１１）の一部又は全部を反射して回転操作部５０の表示面５５に表示する反射面５１を回転軸ＣＬの周囲に有するように構成されている。これにより、表示面５５に映し出される表示を第１表示部１１の表示と第２表示部１２の表示に切り替えることが可能となる。
（２）また、表示面５５上に形成されたノブ表示５７と、表示面５５上に映し出された第１表示部１１又は第２表示部１２を重ねて表示することも可能である。これにより、可動側である回転操作部５０の表示と非可動側である第１表示部１１の表示または第２表示部１２の表示とを重ねて表示することができ、新奇性を出しやすい。さらに、回転操作部５０のノブ形状のデザインとの組合せで無数のアレンジが可能となる。
【００４４】
以上、本発明のいくつかの実施の形態を説明したが、これらの実施の形態は、一例に過ぎず、特許請求の範囲に係る発明を限定するものではない。これら新規な実施の形態は、その他の様々な形態で実施されることが可能であり、本発明の要旨を逸脱しない範囲で、種々の省略、置き換え、変更等を行うことができる。また、これら実施の形態の中で説明した特徴の組合せの全てが発明の課題を解決するための手段に必須であるとは限らない。さらに、これら実施の形態は、発明の範囲及び要旨に含まれるとともに、特許請求の範囲に記載された発明とその均等の範囲に含まれる。
【符号の説明】
【００４５】
１…スイッチ装置、１０…本体部、１１…第１表示部、１２…第２表示部、１５…収容部、１６…側壁部、１７…底面部、５０…回転操作部、５１…反射面、５３…導光部、５４…空間部、５５…表示面、５７…ノブ表示
【図１】
2018067512.tif 000003
【図２】
2018067512.tif 000004
【図３】
2018067512.tif 000005
【図４】
2018067512.tif 000006
【図５】
2018067512.tif 000007
【図６】
2018067512.tif 000008
【図７】
2018067512.tif 000009
【図８】
2018067512.tif 000010